(57)【要約】      （修正有）【課題】ＩＣや磁気を内蔵し、前記ＩＣや前記磁気に情報データを記録しているカード及び前記カードを保管及び収納する財布、カードケースなどを入れる鞄類に対して、前記カードに対して反応する外部からの電磁波より前記カードを守り、前記カードに対する前記情報データの破壊、盗難、複製、収集行為を防ぎ、前記カードに対する安全性の向上を課題としている。【解決手段】ＩＣや磁気を内蔵し、前記ＩＣや前記磁気に情報データを記録しているカード２０に対して反応する電磁波シールド繊維１８を用いて、鞄の内側に接して形成された前記カードを収納するカード収納部２７を前記電磁波シールド繊維で構成することにより、外部からの前記電磁波からＩＣや磁気に情報データが記録されたカードを守り、且つ前記情報データの盗難を目的とした外部機器からの複製及び収集行為を防ぐことが可能となり、盗難防止や安全性の向上に役立つセキュリティー鞄１０。【選択図】図１１
0003114308.tif 000002
【実用新案登録請求の範囲】
【請求項１】
ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、鞄の側面全面もしくは一部分に構成することを特徴としたセキュリティー鞄。
【請求項２】
ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、鞄の内側もしくは外側に接して形成された開閉可能な収納部の全面もしくは一部分に構成することを特徴としたセキュリティー鞄。
【請求項３】
ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、鞄の側面の片側部と前記鞄の内部を区切っている単一の仕切り面の全面もしくは一部分に構成することを特徴としたセキュリティー鞄。
【請求項４】
ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、鞄の内部を区切っている複数の仕切り面の全面もしくは一部分に構成することを特徴としたセキュリティー鞄。
【請求項５】
ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、鞄の内側に接して形成されたポケットの全面もしくは一部分に構成することを特徴としたセキュリティー鞄。
【請求項６】
ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、鞄の内側に接して形成された前記カードを収納するカード収納部を構成することを特徴としたセキュリティー鞄。
【考案の詳細な説明】
【技術分野】
【０００１】  本考案は、ＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて鞄の全面もしくは一部分に構成、または前記鞄に接して形成された収納部に構成するセキュリティー鞄に関するものである。
【背景技術】
【０００２】  従来の鞄類の材料として例えば、動物の革製、人工的に作った人工革製、布製、ナイロン製、ビニール製、樹脂製などの素材を使用してつくられた鞄、ハンドバック、スーツケース、旅行かばん、リュックサックなどが一般的であり、現状ではＩＣや磁気を内蔵し、前記ＩＣや前記磁気に情報データが書き込まれたカード及び前記カードを保管及び収納する財布、カードケースなど、多様な物を収納する携帯用具として一般的に多く使われている。
【考案の開示】
【考案が解決しようとする課題】
【０００３】  しかしながら上述の様に従来の鞄類では、動物の革製、人工的に作った人工革製、布製、ナイロン製、ビニール製、樹脂製などの素材を使用して作られており、前記鞄類にＩＣや磁気を内蔵し、前記ＩＣや前記磁気に情報データが記録されたカードを収納した場合、前記カードに対して反応する外部からの電磁波を遮断することができずに前記カードに対する外部からのセキュリティーがまったくなく、前記情報データの盗難を目的とした外部機器からの複製や収集行為及び破壊を防ぐことができなかった。【０００４】  従って前記動物の革製、人工的に作った人工革製、布製、ナイロン製、ビニール製、樹脂製などの素材を使用してつくられた前記鞄類にＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を全面もしくは一部分に設けた構成にすることにより、前記カード内に記録されている前記情報データの破壊、盗難、複製、収集行為を防ぎ、前記カードに対する安全性を高めて前記情報データに対する万全なセキュリティーが可能となり前述の問題を解決しようとするものである。
【課題を解決するための手段】
【０００５】  前記問題を解決するために、本考案に係るセキュリティー鞄は、次のように構成したものである。【０００６】  即ち、本考案の請求項１に記載の考案は、ＩＣや磁気に情報データが記録されたカード及び前記カードを保管及び収納する財布、カードケースなどを入れる鞄に対して、前記カードに対して反応する電磁波を遮断するシート、もしくは前記シートを使用した複合素材、または電磁波を遮断する材料を使用した複合素材を用いて、前記鞄の内側面全面もしくは一部分に構成することを特徴としたセキュリティー鞄である。【０００７】  本考案の請求項２に記載の考案は、ＩＣや磁気に情報データが記録されたカード及び前記カードを保管及び収納する財布、カードケースを入れる鞄に対して、前記カードに対して反応する電磁波を遮断するシート、もしくは前記シートを使用した複合素材、または電磁波を遮断する材料を使用した複合素材を用いて、前記鞄の内側もしくは外側接して形成された開閉可能なファスナー付収納部の全面もしくは一部分に構成することを特徴としたセキュリティー鞄である。【０００８】  本考案の請求項３に記載の考案は、ＩＣや磁気に情報データが記録されたカード及び前記カードを保管及び収納する財布、カードケースを入れる鞄に対して、前記カードに対して反応する電磁波を遮断するシート、もしくは前記シートを使用した複合素材、または電磁波を遮断する材料を使用した複合素材を用いて、前記鞄の内側側面の片側部と前記鞄内部を区切っている単一の仕切り板面の全面もしくは一部分に構成することを特徴としたセキュリティー鞄である。【０００９】  本考案の請求項４に記載の考案は、ＩＣや磁気に情報データが記録されたカード及び前記カードを保管及び収納する財布、カードケースを入れる鞄に対して、前記カードに対して反応する電磁波を遮断するシート、もしくは前記シートを使用した複合素材、または電磁波を遮断する材料を使用した複合素材を用いて、前記鞄の内部を区切っている複数の仕切り板面の全面もしくは一部分に構成することを特徴としたセキュリティー鞄である。【００１０】  本考案の請求項５に記載の考案は、ＩＣや磁気に情報データが記録されたカード及び前記カードを保管及び収納する財布、カードケースを入れる鞄に対して、前記カードに対して反応する電磁波を遮断するシート、もしくは前記シートを使用した複合素材、または電磁波を遮断する材料を使用した複合素材を用いて、前記鞄の内側に接して形成されたポケットの全面もしくは一部分に構成することを特徴としたセキュリティー鞄。【００１１】  本考案の請求項６に記載の考案は、ＩＣや磁気に情報データが記録されたカードを収納する鞄に対して、前記カードに対して反応する電磁波を遮断するシート、もしくは前記シートを使用した複合素材、または電磁波を遮断する材料を使用した複合素材を用いて、前記鞄の内側に接して形成された前記カードを収納するカード収納部を構成することを特徴としたセキュリティー鞄。
【考案の効果】
【００１２】  上述のように、本考案のセキュリティー鞄は動物の革製、人工的に作った人工革製、布製、ナイロン製、ビニール製などでつくられた鞄にＩＣや磁気を内蔵し、前記ＩＣや前記磁気に情報データを記録しているカードに対して反応する電磁波を遮断するシート、もしくは前記シートを使用した複合素材、または電磁波を遮断する材料を使用した複合素材を用いて、前記鞄の内部全面もしくは一部分、前記鞄の内部に開閉可能な収納部、前記鞄の内部を区切っている仕切り面、前記鞄の内側に接するポケット、前記鞄の内部にあるカード収納部を設置する構成により、外部からの前記電磁波からＩＣや磁気に情報データが記録されたカードを保護し、且つ前記情報データの盗難を目的とした外部機器からの複製及び収集行為を防ぐことが可能となり、保護や盗難防止として役立つ。
【考案を実施するための最良の形態】
【００１３】  以下、本考案に係るセキュリティー鞄の実施の形態を図１〜図１２に基づいて詳細に説明する。
【実施例】
【００１４】  鞄の定義は、中に物を入れる携帯用具として設定し、具体的には手提げかばん、旅行かばん、バック、ハンドバック、ボストンバック、トランク、旅行用トランク、ブリーフケース、スーツケース、アタッシュケース、リュックサック、買い物袋などがある。【００１５】  鞄の材料は動物の革製とは限らず、人工的に作った人工革製、布製、ナイロン製、ビニール製、樹脂製、金属製、カーボン製、または複合素材などがあるが、実施例に使用する鞄の材料として牛の革を採用する。【００１６】  図１は本考案の一実施例を適用した一般的に使用されている動物の革つくられた鞄にＩＣや磁気を内蔵し、前記ＩＣや前記磁気に情報データを記録しているカードに対して反応する電磁波を遮断するシートを前記鞄の内側全面に設置したセキュリティー鞄の概要を模式的に示す構成説明図であり、図２は上記図１の一実施例に対する断面図である。【００１７】  図３は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側に形成された開閉可能なファスナー付収納部を設置したセキュリティー鞄の概要を模式的に示す構成説明図であり、図４は上記図３の一実施例に対する断面図である。【００１８】  図５は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側側面の片側部と前記鞄の内部を区切っている１枚の仕切り板面の全面に設置したセキュリティー鞄の概要を模式的に示す構成説明図であり、図６は上記図５の一実施例に対する断面図である。【００１９】  図７は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内部を区切っている２枚の仕切り板面の全面に設置したセキュリティー鞄の概要を模式的に示す構成説明図であり、図８は上記図７の一実施例に対する断面図である。【００２０】  図９は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側に接して形成されたポケットの全面に設置したセキュリティー鞄の概要を模式的に示す構成説明図であり、図１０は上記図９の一実施例に対する断面図である。【００２１】  図１１は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側に接して形成された前記カードを収納するカード収納部を設置したセキュリティー鞄の概要を模式的に示す構成説明図であり、図１２は上記図１１の一実施例に対する断面図である。【００２２】  即ち、図１、図２に示す実施例、一般的に使用されている動物の革製でつくられた鞄にＩＣや磁気を内蔵し、前記ＩＣや前記磁気に情報データを記録しているカードに対して反応する電磁波を遮断するシートを設置したセキュリティー鞄の構成において、牛革１２でつくられた手提げ鞄の取っ手１１、ファスナーＡ１５がついている手提げ鞄１０に対して、前記手提げ鞄１０の内側の前記牛革１２全面に電磁波シールド繊維１８を接着する構成により、前記手提げ鞄１０の内部に収納している牛革長財布１９内にあるカード２０及び前記カード２０内のＩＣ部（集積回路、記録媒体）２１及び情報データ２２を外部機器（リーダー／ライター）２８から出力される電磁波２９を遮断して保護することが可能となる。【００２３】  即ち、図３、図４に示す実施例、一般的に使用されている動物の革製でつくられた鞄にＩＣや磁気を内蔵し、前記ＩＣや前記磁気に情報データを記録しているカードに対して反応する電磁波を遮断するシートを設置したセキュリティー鞄の構成において、牛革１２でつくられた手提げ鞄の取っ手１１、ファスナーＡ１５、ファスナーＢ１６が設置されている手提げ鞄１０に対して、前記手提げ鞄１０の手提げ鞄Ａ面１３側の前記手提げ鞄１０内側に設置された小物収納入れ１７を電磁波シールド繊維１８で構成し、前記手提げ鞄Ａ面１３側に設置されている前記ファスナーＢ１６の開閉より前記小物収納入れ１７に収納可能な構成を作ることにより、前記ファスナーＢ１６より前記小物収納入れ１７の内部に収納している牛革長財布１９内にあるカード２０及び前記カード２０内のＩＣ部（集積回路、記録媒体）２１及び情報データ２２を外部機器（リーダー／ライター）２８から出力される電磁波２９を遮断し、保護することが可能となる。【００２４】  即ち、図５、図６に示す実施例、一般的に使用されている動物の革製でつくられた鞄にＩＣや磁気を内蔵し、前記ＩＣや前記磁気に情報データを記録しているカードに対して反応する電磁波を遮断するシートを設置したセキュリティー鞄の構成において、牛革１２でつくられた手提げ鞄の取っ手１１、ファスナーＡ１５、仕切り板Ａ２３が設置されている手提げ鞄１０に対して、前記手提げ鞄１０及び手提げ鞄Ａ面１３側の内側にある前記牛革１２の側面全面に電磁波シールド繊維１８を接着し、前記手提げ鞄１０内部にある前記仕切り板Ａ２３全面に前記電磁波シールド繊維１８を接着する構成により、前記手提げ鞄１０の内部の前記仕切り板Ａ２３と手提げ鞄Ａ面１３の間に収納している牛革長財布１９内にあるカード２０及び前記カード２０内のＩＣ部（集積回路、記録媒体）２１及び情報データ２２を外部機器（リーダー／ライター）２８から出力される電磁波２９を遮断し、保護することが可能となる。【００２５】  即ち、図７、図８に示す実施例、一般的に使用されている動物の革製でつくられた鞄にＩＣや磁気を内蔵し、前記ＩＣや前記磁気に情報データを記録しているカードに対して反応する電磁波を遮断するシートを設置したセキュリティー鞄の構成において、牛革１２でつくられた手提げ鞄の取っ手１１、ファスナーＡ１５、仕切り板Ａ２３、仕切り板Ｂ２４が設置されている手提げ鞄１０に対して、前記手提げ鞄１０内部にある前記仕切り板Ａ２３及び前記仕切り板Ｂ２４の側面全面に電磁波シールド繊維１８を接着する構成により、前記手提げ鞄１０の内部の前記仕切り板Ａ２３と前記仕切り板Ｂ２４の間に収納している牛革長財布１９内にあるカード２０及び前記カード２０内のＩＣ部（集積回路、記録媒体）２１及び情報データ２２を外部機器（リーダー／ライター）２８から出力される電磁波２９を遮断し、保護することが可能となる。【００２６】  即ち、図９、図１０に示す実施例、一般的に使用されている動物の革製でつくられた鞄にＩＣや磁気を内蔵し、前記ＩＣや前記磁気に情報データを記録しているカードに対して反応する電磁波を遮断するシートを設置したセキュリティー鞄の構成において、牛革１２でつくられた手提げ鞄の取っ手１１、ファスナーＡ１５、ポケット収納部２５、フォック２６が設置されている手提げ鞄１０に対して、前記手提げ鞄１０内部にある前記ポケット収納部２５を電磁波シールド繊維１８で構成して前記ポケット収納部２５に牛革長財布１９を収納し、前記ポケット収納部２５を開閉する前記フォック２６を止めることにより前記牛革長財布１９内にあるカード２０及び前記カード２０内のＩＣ部（集積回路、記録媒体）２１及び情報データ２２を外部機器（リーダー／ライター）２８から出力される電磁波２９を遮断し、保護することが可能となる。【００２７】  即ち、図１１、図１２に示す実施例、一般的に使用されている動物の革製でつくられた鞄にＩＣや磁気を内蔵し、前記ＩＣや前記磁気に情報データを記録しているカードに対して反応する電磁波を遮断するシートを設置したセキュリティー鞄の構成において、牛革１２でつくられた手提げ鞄の取っ手１１、ファスナーＡ１５、カード収納部２７が設置されている手提げ鞄１０に対して、前記手提げ鞄１０内部にある前記カード収納部２７を電磁波シールド繊維１８で構成して、前記カード収納部２７にカード２０を収納することにより、前記カード２０内のＩＣ部（集積回路、記録媒体）２１及び情報データ２２を外部機器（リーダー／ライター）２８から出力される電磁波２９を遮断し、保護することが可能となる。【００２８】  上述の実施例としては、電磁波シールド繊維１８を使用したが、前記電磁波シールド繊維１８以外の電磁波シールド材としては、塗料、粉末、フィルム、メッシュ、接着剤、テープ、粘着テープなど多数存在し、形態として構成可能である。【００２９】  上述の実施例としては、手提げ鞄１０の材料である牛革１２に電磁波シールド繊維１８を接着して外部機器（リーダー／ライター）２８から出力される電磁波２９を遮断する実施形態一例として構成したが、上述のように鞄の材料及び電磁波シールド材は多数存在し、前記鞄の材料と前記電磁波シールド材の色々な組み合わせにより、多種構成や複合材を用いてセキュリティー鞄を可能とする。【００３０】一般的に使用されている手提げ鞄１０の材料として牛革１２は上述の内容は一例であり、前記牛革１２に電磁波シールド繊維１８を内蔵する方法として接着、圧入、挟みこみなど多数存在する。【００３１】  上述の実施例としては、一般的に日常生活で使用されている手提げ鞄１０を用いて６種類の一実施例として取り上げたが、鞄類としては旅行かばん、バック、ハンドバック、ボストンバック、トラン��、旅行用トランク、ブリーフケース、スーツケース、アタッシュケース、リュックサック、買い物袋など使用目的にあわせて収納内容、形状、使い勝手、色調、デザインなど変わるが、前記鞄類は請求項１〜６の構成内容によりセキュリティー鞄が可能である。【００３２】  通常の電磁波シールド繊維１８は、電磁波２９の周波数遮断範囲の仕様により材料及び構成内容が異なるが、材料としては、ニッケル、コバルト、クロム、アルミ、チタン、銀、プラチナ、金、銅、マンガンなどを使用してメッシュ状やシート状に加工構成するのが一般的に使用されている。【００３３】  従って本実施例の構成では、先に述べた従来例の場合と比較して次のようなそれぞれの効果が得られる。即ち、
（１）ＩＣや磁気を内蔵し、前記ＩＣや前記磁気に情報データを記録しているカード及び前記カードを保管及び収納する財布、カードケースなどを入れる多様な鞄類に対して、前記カードに対して反応する電磁波を遮断するシートを用いて設置および構成することで、前記カードの保護や前記カード内にある情報データの盗難を目的とした外部機器からの複製及び収集行為を防ぐセキュリティー鞄が可能となる。
（２）ＩＣや磁気を内蔵し、前記ＩＣや前記磁気に情報データを記録しているカードに対して反応する電磁波を遮断するシート素材は柔軟性や加工性にすぐれているため、デザインや色調を重視しているハンドバック、バック、旅行かばんなどの鞄類の内側に前記シート素材をはさみ込むことで、デザインや色調を変えずに前記カードに反応する外部からの電磁波を遮断し、ＩＣや磁気に情報データが記録された前記カードを守り、且つ前記情報データの盗難を目的とした外部機器からの複製及び収集行為を防ぐセキュリティー鞄が可能となる。
【図面の簡単な説明】
【００３４】
【図１】  図１は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側全面に前記シートを設置したセキュリティー鞄の概要を模式的に示す構成説明図である。
【図２】  図２は上記図１の一実施例に対する断面図及び構成の概要を模式的に示す構成説明図である。
【図３】  図３は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側に形成された開閉可能なファスナー付収納部を設置したセキュリティー鞄の概要を模式的に示す構成説明図である。
【図４】  図４は上記図３の一実施例に対する断面図及び構成の概要を模式的に示す構成説明図である。
【図５】  図５は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側側面の片側部と前記鞄の内部を区切っている１枚の仕切り板面の全面に設置したセキュリティー鞄の概要を模式的に示す構成説明図である。
【図６】  図６は上記図５の一実施例に対する断面図及び構成の概要を模式的に示す構成説明図である。
【図７】  図７は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内部を区切っている２枚の仕切り板面全面に設置したセキュリティー鞄の概要を模式的に示す構成説明図である。
【図８】  図８は上記図７の一実施例に対する断面図及び構成の概要を模式的に示す構成説明図である。
【図９】  図９は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側に接して形成されたポケットの全面に設置したセキュリティー鞄の概要を模式的に示す構成説明図である。
【図１０】  図１０は上記図９の一実施例に対する断面図及び構成の概要を模式的に示す構成説明図である。
【図１１】  図１１は本考案の一実施例を適用した一般的に使用されている動物の革でつくられた鞄にＩＣや磁気を内蔵し、前記ＩＣや前記磁気に情報データを記録しているカードに対して反応する電磁波を遮断するシートを用いて、前記鞄の内側に接して形成された前記カードを収納するカード収納部を設置したセキュリティー鞄の概要を模式的に示す構成説明図である。
【図１２】  図１２は上記図１１の一実施例に対する断面図及び構成の概要を模式的に示す構成説明図である。
【符号の説明】
【００３５】１０  手提げ鞄
１１  手提げ鞄の取っ手
１２  牛革
１３  手提げ鞄Ａ面
１４  手提げ鞄Ｂ面
１５  ファスナーＡ
１６  ファスナーＢ
１７  小物収納入れ
１８  電磁波シールド繊維
１９  牛革長財布
２０  カード
２１  ＩＣ部（集積回路、記録媒体）
２２  情報データ
２３  仕切り板Ａ
２４  仕切り板Ｂ
２５  ポケット収納部
２６  フォック
２７  カード収納部
２８  外部機器（リーダー／ライター）
２９  電磁波
【図１】
0003114308.tif 000003
【図２】
0003114308.tif 000004
【図３】
0003114308.tif 000005
【図４】
0003114308.tif 000006
【図５】
0003114308.tif 000007
【図６】
0003114308.tif 000008
【図７】
0003114308.tif 000009
【図８】
0003114308.tif 000010
【図９】
0003114308.tif 000011
【図１０】
0003114308.tif 000012
【図１１】
0003114308.tif 000013
【図１２】
0003114308.tif 000014